(57)【要約】      （修正有）【課題】清涼感が持続するニット生地を提供する。【解決手段】清涼感が持続するニット生地は、調温糸１及び冷糸２の２種類の機能糸を編織してなる両面組織であり、図１に示されている両面組織の生地のうち表層が冷糸２であり、内層が調温糸１であり、冷糸２は編織接続糸であり、調温糸１の規格は３０〜５０ｓであり、冷糸２の規格は７０〜２８０Ｄである。調温糸１は、純粋な相変化調温ビスコース繊維を紡織してなる糸または相変化調温ビスコース繊維とその他の繊維とを混紡してなる糸である。冷糸２は、純粋な清涼感のあるナイロン長繊維または清涼感のあるナイロン長繊維とビスコース長繊維とにより形成される複合糸である。【選択図】図１
0003192708.tif 000002
【実用新案登録請求の範囲】
【請求項１】
調温糸及び冷糸の２種類の機能糸を編織してなる両面組織である清涼感が持続するニット生地であって、前記両面組織の生地のうち表層が冷糸であり、内層が調温糸であり、前記冷糸は編織接続糸であり、前記調温糸の規格は３０〜５０ｓであり、前記冷糸の規格は７０〜２８０Ｄであることを特徴とする清涼感が持続するニット生地。
【請求項２】
前記調温糸は、純粋な相変化調温ビスコース繊維を紡織してなる糸または相変化調温ビスコース繊維とその他の繊維とを混紡してなる糸であることを特徴とする請求項１に記載の清涼感が持続するニット生地。
【請求項３】
前記冷糸は、純粋な清涼感のあるナイロン長繊維または清涼感のあるナイロン長繊維とビスコース長繊維とにより形成される複合糸であることを特徴とする請求項１に記載の清涼感が持続するニット生地。
【請求項４】
前記その他の繊維には、コットン繊維、ポリエステル繊維及びアクリル繊維が含まれることを特徴とする請求項２に記載の清涼感が持続するニット生地。
【請求項５】
前記調温糸の規格は、４０ｓであることを特徴とする請求項１に記載の清涼感が持続するニット生地。
【請求項６】
前記冷糸の規格は、１４５Ｄであることを特徴とする請求項１に記載の清涼感が持続するニット生地。
【考案の詳細な説明】
【技術分野】
【０００１】
本実用新案はニット生地に関するものであり、特に持続する清涼感を有するニット生地に関するものである。
【背景技術】
【０００２】
清涼感のある織物の突出した特徴は、手触りが爽やかで、織物が容易には皮膚に貼着せず、湿熱環境下で着用した際に麻織物の触感があり、この種の感触スタイルは夏季用生地が追い求めてきた主な目標である。織物の熱伝達性能は衣料の清涼効果に影響を及ぼす重要な要素である。
【０００３】
現在、清涼感のある生地の多くは化繊織物であり、市場にはすでに数多くの化繊類の清涼感のある製品が出回っており、紡織材料のうちナイロンの熱伝導係数は０．２４４〜０．３３７Ｗ／ｍ．℃であり、その他の紡織材料の熱伝導係数に対して相対的に大きいため、清涼感のある生地の開発に広範に応用されている。しかし、現在、開発されて普及しているナイロン製の清涼感のある製品は、主に瞬間的な接触清涼感値が評価基準であり、着用または使用過程においては、時間の延長に伴い、ナイロン生地は熱を持ち、清涼効果が喪失する。
【考案の概要】
【考案が解決しようとする課題】
【０００４】
上記の技術的問題を解決するため、本実用新案では、織物に持続的な清涼感を保持させることができるとの目的を達成する清涼感が持続するニット生地が提供されている。
【課題を解決するための手段】
【０００５】
上記目的を達成するため、本実用新案の技術案は以下の通りである。
【０００６】
調温糸及び冷糸の２種類の機能糸を編織してなる両面組織である清涼感が持続するニット生地であって、前記両面組織の生地のうち表層が冷糸であり、内層が調温糸であり、前記冷糸は編織接続糸であり、前記調温糸の規格は３０〜５０ｓであり、前記冷糸の規格は７０〜２８０Ｄである。
【０００７】
好適には、前記調温糸は、純粋な相変化調温ビスコース繊維を紡織してなる糸または相変化調温ビスコース繊維とその他の繊維とを混紡してなる糸である。
【０００８】
好適には、前記冷糸は、純粋な清涼感のあるナイロン長繊維または清涼感のあるナイロン長繊維とビスコース長繊維とにより形成される複合糸である。
【０００９】
好適には、前記その他の繊維には、コットン繊維、ポリエステル繊維及びアクリル繊維が含まれる。
【００１０】
好適には、前記調温糸の規格は４０ｓである。
【００１１】
好適には、前記冷糸の規格は１４５Ｄである。
【考案の効果】
【００１２】
上記の技術案により、本実用新案が提供する清涼感が持続するニット生地は、調温糸及び冷糸の２種類の機能糸を編織してなる両面組織であり、両面組織の生地のうち表層が冷糸であり、内層が調温糸であり、前記冷糸は編織接続糸であり、この種の方式で編織されてなるニット生地は相変化調温機能を有する糸を含有しているため、生地の昇温時間を繰り延べて、使用者に持続的な清涼感を与えることができる。
【図面の簡単な説明】
【００１３】
本実用新案の実施例または現有技術における技術案についてより明確に説明するため、以下においては実施例または現有技術の記述において使用する必要がある添付図面について簡単に紹介する。
【図１】図１は本実用新案の実施例が開示する清涼感が持続するニット生地両面組織の構造見取図である。
【考案を実施するための形態】
【００１４】
以下においては、本実用新案の実施例における添付図面に基づき、本実用新案の実施例における技術案について明確かつ完全に説明する。
【００１５】
本実用新案が提供する清涼感が持続するニット生地は、図１に示されている構造であり、当該ニット生地は、２種類の糸の機能・特性を一体に集約しており、冷糸が清涼感を持続することができないとの欠点が解決されているばかりではなく、調温糸の使用範囲も拡大しており、調温糸の相変化調温能力を十分に発揮させている。
【００１６】
清涼感が持続するニット生地は、調温糸１及び冷糸２の２種類の機能糸を編織してなる両面組織であり、図１に示されている両面組織の生地のうち表層が冷糸２であり、内層が調温糸１であり、冷糸２は編織接続糸であり、調温糸１の規格は３０〜５０ｓであり、冷糸２の規格は７０〜２８０Ｄである。調温糸１は、純粋な相変化調温ビスコース繊維を紡織してなる糸または相変化調温ビスコース繊維とその他の繊維とを混紡してなる糸である。冷糸２は、純粋な清涼感のあるナイロン長繊維または清涼感のあるナイロン長繊維とビスコース長繊維とにより形成される複合糸である。
【００１７】
その他の繊維には、コットン繊維、ポリエステル繊維及びアクリル繊維が含まれる。
【００１８】
本実施例における清涼感が持続するニット生地の調温糸の規格はＲ５０／Ｔ５０４０ｓであり、冷糸の規格はＲ５０／Ｎ５０１４５Ｄ／７２Ｆであり、当該ニット生地は丸メリヤス編機を採用して編織されてなり、表層のメッシュ面に冷糸が採用され、内層が調温糸であり、冷糸を編織接続糸としている。
【００１９】
対比生地には、上記規格の冷糸を採用し、内層生地には規格がＲ５０／Ｔ５０４０ｓの普通糸を採用し、冷糸を編織接続糸とした。
【００２０】
上記清涼感が持続するニット生地及び対比生地を編織してなる両面組織生地の単位重量は２２０ｇｓｍであり、幅は１８５ｃｍである。
【００２１】
上記の清涼感が持続するニット生地に対して接触清涼感効果の検出を実施し、清涼感評価値Ｑ−ｍａｘを評価指標とした。Ｑ−ｍａｘとは織物と人体とが接触した瞬間に、人体と織物との間の熱量伝達を実施する際の最大の熱流量で、単位はＷ／ｃｍ２であり、測定結果は、温度２０℃、湿度６５％、ΔＴ＝２０℃で、Ｑ−ｍａｘ＝０．３４５であった。
【００２２】
上記の清涼感が持続するニット生地及び対比生地に対して清涼感持続効果の検出を実施した。測定方法は以下の通りである。同時に清涼感が持続するニット生地と対比生地とを２０℃、湿度６０％の環境から４０℃、湿度６０％の環境中に移し、生地の温度変化を観察並びに記録した。具体的なデータは下記表１の通りである。
【００２３】
表１  温度変化データ
【００２４】
【表１】
0003192708.tif 000003
【００２５】
上記表１によれば、時間の延長に伴い、清涼感が持続するニット生地の温度は常に対比生地の温度よりも低く、清涼感が持続するニット生地と対比生地との最大温度差は２℃であり、これは清涼感が持続するニット生地は、着用の快適感が良好であり、清涼感が持続し、夏季の着用に適していることを示している。
【００２６】
本実用新案が提供する清涼感が持続するニット生地は、調温糸及び冷糸の２種類の機能糸を編織してなる両面組織であり、両面組織の生地のうち表層が冷糸であり、内層が調温糸であり、前記冷糸は編織接続糸であり、この種の方式で編織されてなるニット生地は相変化調温機能を有する糸を含有しているため、生地の昇温時間を繰り延べて、使用者に持続的な清涼感を与えることができる。
【００２７】
開示されている実施例の上記説明により、当業者であれば本実用新案を実現または使用することができる。これら実施例の複数種の変更は当業者にとっては非常に容易であり、本明細書で定義されている一般原理は、本実用新案の精神または範囲を脱離することなく、その他の実施例において実現可能である。従って、本実用新案は、本明細書に示されているこれらの実施例に限定されず、本明細書で開示されている原理及び新規の特徴と互いに一致する最も広い範囲とすべきである。なお、本明細書中「ｓ」は英国式綿番手をいい「Ｄ」はデニールを示す。
【符号の説明】
【００２８】
１  調温糸
２  冷糸
【図１】
0003192708.tif 000004